(57)【特許請求の範囲】
【請求項１】
樹脂中に蓄光材料が含有された表面部の下に、前記の表面部からの光を反射させる反射部が設けられた本体部と、前記の本体部をカーペットに固定させる固定部とを有する誘導用部材を用い、前記の表面部がカーペットの表面側に位置するようにして誘導用部材をカーペットに固定させるにあたり、前記の誘導用部材の本体部における表面部の周縁部を下の反射部に向けてテーパー状に収縮するように形成したことを特徴とする誘導用カーペット。
【請求項２】
請求項１に記載した誘導用カーペットにおいて、前記の誘導用部材における反射部が、白色系樹脂で構成されていることを特徴とする誘導用カーペット。
【請求項３】
請求項１又は請求項２に記載した誘導用カーペットにおいて、前記の誘導用部材における反射部の下面から取付用脚部が下方に延出されると共に、前記の固定部に前記の取付用脚部を取り付ける取付部が設けられ、反射部から延出された取付用脚部が前記の固定部における取付部に取り付けられて、誘導用部材がカーペットを貫通するようにして固定されていることを特徴とする誘導用カーペット。
【請求項４】
請求項１〜請求項３の何れか１項に記載した誘導用カーペットにおいて、前記の誘導用部材における表面部の表面の位置が、前記のカーペットの表面の位置以下になっていることを特徴とする誘導用カーペット。
【請求項５】
請求項１〜請求項４の何れか１項に記載した誘導用カーペットにおいて、前記のカーペットに前記の誘導用部材を取り付ける取付用カット部を設け、前記の誘導用部材の本体部における蓄光材料が含有された表面部から下の反射部に向けてテーパー状に収縮させた本体部の周縁部により、誘導用部材における取付用カット部の周辺部を覆うようにしたことを特徴とする誘導用カーペット。
【発明の詳細な説明】
【技術分野】
【０００１】
本発明は、誘導用カーペットに関するものである。特に、暗い場所での案内等の表示が適切に行えるようにするため、樹脂中に蓄光材料が含有された誘導用部材をカーペットに取り付けて誘導用カーペットを簡単に得ることができるようにすると共に、誘導用部材における蓄光材料からの光を適切に反射させて、暗い場所での案内等の表示が長期にわたって安定して適切に行えるようにした点に特徴を有するものである。
【背景技術】
【０００２】
従来より、夜間や停電時等において暗い場所での案内等の表示が適切に行えるようにするため、カーペットの表面におけるパイルに、蓄光材料を用いた蓄光部を所定形状に形成し、この蓄光部からの光によって案内等の表示を行うようにしたものが提案されている。
【０００３】
そして、従来においては、特許文献１、２に示されるように、カーペットの表面におけるパイルの上に、発光性塗料や夜光塗料を所定形状に印刷や塗布により付与するようにしたものが提案されている。
【０００４】
しかし、特許文献１、２に示されるように、カーペットの表面におけるパイルの上に、発光性塗料や夜光塗料を所定形状に印刷や塗布により付与する場合、発光性塗料や夜光塗料がパイル間に入り込んで、発光性塗料や夜光塗料を所定形状に適切に付与することが困難になるという問題があった。また、カーペットの表面におけるパイルの色彩が濃い場合には、パイルの地の色が発光性塗料や夜光塗料の層を通して見え、美観や表示機能が低下するという問題があった。さらに、発光性塗料や夜光塗料から発光された光がパイルに吸収されて発光性能が大きく低下し、夜間や停電時等において暗い場所での案内等の表示が適切に行えなくなるという問題があった。
【０００５】
また、従来においては、特許文献３に示されるように、タイルやカーペット等の化粧シート材を敷設した床構造において、盲人に進路情報を与えるように、カーペット等に点字鋲を設けるにあたり、点字鋲本体をカーペット等に設けた挿通穴を通して固定具に固定させるようにしたものが示されている。
【０００６】
しかし、特許文献３に示されるものは、カーペットに蓄光材料を用いた蓄光部を設け、暗い場所において案内等の表示が適切に行えるようにするというものではなく、樹脂中に蓄光材が含有された誘導用部材をカーペットに取り付けて誘導用カーペットを簡単に得ることができるようにすると共に、誘導用部材における蓄光材料からの光を適切に反射させて、暗い場所での案内等の表示が長期にわたって安定して適切に行えるようにするという目的は一切存在しておりません。
【先行技術文献】
【特許文献】
【０００７】
【特許文献１】特開２００２−１４２９５６号公報
【特許文献２】実用新案登録第３００１０１６号公報
【特許文献３】特許第３６３２９１６号公報
【発明の開示】
【発明が解決しようとする課題】
【０００８】
本発明は、暗い場所での案内等の表示が適切に行えるようにするため、カーペットに蓄光材料を用いた蓄光部を設ける場合における前記のような問題を解決することを課題とするものである。
【０００９】
そして、本発明においては、樹脂中に蓄光材料が含有された誘導用部材をカーペットに取り付けて誘導用カーペットを簡単に得ることができるようにすると共に、誘導用部材における蓄光材料からの光を適切に反射させて、暗い場所での案内等の表示が長期にわたって安定して適切に行えるようにすることを課題とするものである。
【課題を解決するための手段】
【００１０】
本発明における誘導用カーペットにおいては、前記のような課題を解決するため、樹脂中に蓄光材料が含有された表面部の下に、前記の表面部からの光を反射させる反射部が設けられた本体部と、前記の本体部をカーペットに固定させる固定部とを有する誘導用部材を用い、前記の本体部と固定部とがカーペットを貫通するようにして、前記の表面部がカーペットの表面側に位置するようにして誘導用部材をカーペットに固定させるにあたり、前記の誘導用部材の本体部における表面部の周縁部を下の反射部に向けてテーパー状に収縮するように形成した。
【００１１】
本発明における誘導用カーペットのように、樹脂中に蓄光材料が含有された表面部の下に表面部からの光を反射させる反射部が設けられた本体部と、本体部をカーペットに固定させる固定部とを有する誘導用部材を用いると、蓄光材料が表面部における樹脂中に保持されて、蓄光材料が離脱されたりするのが防止されると共に、表面部における蓄光材料からの光が、前記の反射部において表面部に反射されて、蓄光材料から出射された光の無駄が抑制され、蓄光材料からの光が表面部から有効に出射されるようになる。
【００１２】
また、前記のように誘導用部材における本体部と固定部とがカーペットを貫通するようにして、誘導用部材をカーペットに固定させるようにしたため、樹脂中に蓄光材料が含有された表面部を有する表面部がカーペットの表面側に位置するようにして、誘導用部材を簡単かつ強固にカーペットに取り付けることができるようになる。また、前記の誘導用部材の本体部における表面部の周縁部を下の反射部に向けてテーパー状に収縮するように形成すると、誘導用部材における本体部をカーペットに押し付けるように固定させる際に、表面部の周縁部から反射部に向けてテーパー状に収縮するように形成された部分によりカーペットの表面が押し付けられ、蓄光材料が含有された表面部の周辺部がカーペットの表面に隠れるのが抑制されて、蓄光材料が含有された表面部が広く露出した状態でカーペットに固定されるようになる。
さらに、前記のカーペットに前記の誘導用部材を取り付ける取付用カット部を設け、前記の誘導用部材の本体部における蓄光材料が含有された表面部から下の反射部に向けてテーパー状に収縮させた本体部の周縁部により、誘導用部材における取付用カット部の周辺部を覆うようにすると、表面部から下の反射部に向けてテーパー状に収縮するように形成された本体部の周縁部が、取付用カット部の周縁部の上に被さるようになり、取付用カット部の周縁部のラインが少し蛇行していても、この部分が誘導用部材における本体部により覆われて隠れ、綺麗な仕上がり状態が得られるようになる。
【００１３】
ここで、前記の誘導用部材の表面部において、蓄光材料を含有させる樹脂としては、蓄光材料からの光や前記の反射部において反射された光が効率よく表面部から出射されるようにするため、透明な樹脂であることが好ましく、また人が歩行した場合などに、簡単に摩耗しない耐摩耗性に優れた樹脂であることが好ましい。
【００１４】
また、前記の表面部からの光を反射させる反射部を設けるにあたっては、蓄光材料からの光が、この反射部において適切に反射されるようにするため、反射部を白色系樹脂で構成することが好ましく、このような白色系樹脂としては、樹脂中に白色材料が含有されたものを用いることができる。なお、充分な反射性と隠蔽性が確保されていれば、白色系樹脂に白色以外の色彩を有する材料を僅かに加え色彩を付与も良い。このように白色系樹脂に色彩を付与することで、蓄光材料から出射された光に色彩を加えることが可能となる。
【００１５】
また、本発明における誘導用カーペットおいて、前記のように誘導用部材における本体部と固定部とがカーペットを貫通するようにして、前記の表面部がカーペットの表面側に位置するように、誘導用部材をカーペットに固定させるにあたっては、誘導用部材における反射部の下面から取付用脚部を下方に延出させると共に、前記の固定部に前記の取付用脚部を取り付ける取付部を設け、反射部から延出された取付用脚部を固定部における取付部に取り付けるようにすることができる。
【００１６】
また、本発明における誘導用カーペットおいては、前記の誘導用部材における表面部の表面の位置が、前記のカーペットの表面の位置以下になるようにすることが好ましい。このようにすると、人がこの誘導用カーペットの上を歩行する場合などに、前記の誘導用部材に躓いたりするのが防止される。
【発明の効果】
【００１７】
本発明における誘導用カーペットにおいては、前記のような誘導用部材を用いるようにしたため、カーペットに蓄光材料を用いた蓄光部を簡単に設けることができるようになる。
【００１８】
また、本発明における誘導用カーペットにおいては、前記のように蓄光材料が誘導用部材の表面部における樹脂中に含有され、蓄光材料がカーペットから離脱するのが防止されると共に、表面部における蓄光材料からの光が前記の反射部において適切に反射されて、蓄光材料からの光がカーペットの表面側に位置する表面部から適切に出射されるようになり、暗い場所での案内等の表示が長期にわたって安定して行えるようになる。
【図面の簡単な説明】
【００１９】
【図１】本発明の実施形態に係る誘導用カーペットに使用するタイルカーペットからなるカーペットの例を示し、（Ａ）は概略平面図、（Ｂ）は部分断面説明図、（Ｃ）は変更例の部分断面説明図である。
【図２】前記の実施形態に係る誘導用カーペットに使用する誘導用部材における本体部を示し、（Ａ）は概略正面図、（Ｂ）は底面側から見た概略斜視図、（Ｃ）は概略断面図である。
【図３】前記の実施形態に係る誘導用カーペットに使用する誘導用部材における固定部を示し、（Ａ）は概略正面図、（Ｂ）は概略斜視図、（Ｃ）は概略断面図である。
【図４】前記の実施形態に係る誘導用カーペットに使用する誘導用部材における固定部の変更例を示した概略平面図である。
【図５】前記の実施形態に係る誘導用カーペットにおいて、前記のカーペットの一辺の近傍に、前記の誘導用部材を取り付けるための取付用カット部を設けた状態を示し、（Ａ）は概略平面図、（Ｂ）は部分断面説明図である。
【図６】前記の実施形態に係る誘導用カーペットにおいて、カーペットに設けた前記の取付用カット部に誘導用部材を取り付ける工程を示し、（Ａ）はカーペットに設けられた取付用カット部に誘導用部材を取り付ける前の状態を示した部分断面説明図、（Ｂ）はカーペットに設けられた取付用カット部に誘導用部材を取り付けた状態を示した部分断面説明図である。
【図７】前記の実施形態に係る誘導用カーペットを複数敷設させた状態を示した概略平面図である。
【図８】前記の実施形態に係る誘導用カーペットにおいて、カーペットに誘導用部材を取り付ける位置を変更させた変更例の誘導用カーペットを複数敷設させた状態を示した概略平面図である。
【発明を実施するための最良の形態】
【００２０】
以下、本発明の実施形態に係る誘導用カーペットを添付図面に基づいて具体的に説明する。なお、この発明に係る誘導用カーペットは、特に下記の実施形態に示したものに限定されるものではなく、その要旨を変更しない範囲において適宜変更して実施できるものである。
【００２１】
この実施形態に係る誘導用カーペットにおいては、カーペット１０として、図１（Ａ），（Ｂ）に示すように、基布１２の表面にパイル１１が植設されると共にその裏面に裏打ち材１３が設けられて、所定大きさの矩形状になったタイルカーペットを用いるようにした。なお、カーペット１０はこのようなタイルカーペットに限定されず、長尺状になったものや、面積が広いものであってもよい。
【００２２】
ここで、前記のパイル１１には、一般にナイロン、ポリプロピレン、ポリエステル等の合成樹脂繊維が用いられ、このパイル１１として、図１（Ｂ）に示すようなループパイルになったものを用いるようにしたが、カットパイルであってもよい。
【００２３】
また、前記の基布１２は、織布又は不織布等のシート体からなり、前記のパイル１１を十分に植設でき且つ破損などを生じない強度的にも優れたものであれば特にその素材は限定されず、例えば、ポリエステル、ポリプロピレン、ポリエチレン、ポリアミド、ポリビニルアルコール、ポリ塩化ビニル、ポリアクリロニトリル、ポリウレタン等の合成繊維や、セルロース、ウール等の天然繊維を１種又は２種以上組み合わせて使用することができる。
【００２４】
また、基布１２の裏面に設けられる前記の裏打ち材１３としては、例えば、塩化ビニル樹脂等のペーストゾル等を用いることができ、必要に応じて、カーボンブラック等の黒色顔料などの各種顔料、炭酸カルシウム、硫酸バリウムなどの充填剤、安定剤、老化防止剤などを混合してもよい。
【００２５】
また、この実施形態においては、前記の裏打ち材１３として、図１（Ｂ）に示すように、合成樹脂からなる単層のものを用いるようにしたが、図１（Ｃ）に示すように、パイル１１が植設された基布１２を安定的に固定するための合成樹脂ペーストゾル等からなる結合層１３ａを基布１２の裏面に設けると共に、この結合層１３ａの裏面にガラス繊維製ヤーンの網状体等からなる補強布１３ｂを設け、さらにこの補強布１３ｂの裏面に、ポリ塩化ビニル、ポリプロピレン、ポリエチレン、エチレン−酢酸ビニル共重合体等の合成樹脂や、ＳＢＲ、ＮＢＲ等の合成ゴム等からなるバッキング材１３ｃを設けたものを用いることもできる。
【００２６】
そして、この実施形態に係る誘導用カーペットにおいては、本体部１１０と固定部１２０とを有する誘導用部材１００を用い、本体部１１０と固定部１２０とが前記のカーペット１０を貫通するようにして、誘導用部材１００をカーペット１０に固定させるようにしている。
【００２７】
ここで、前記の誘導用部材１００においては、前記の本体部１１０として、図２（Ａ）〜（Ｃ）に示すように、透明樹脂中に蓄光材料ｘが含有された平面長方形状の表面部１１１の下に、前記の表面部１１１からの光を反射させる白色系顔料が含有された白色系樹脂で構成された反射部１１２と、前記の反射部１１２の下面に、その長手方向に所要間隔を介した位置から下方に向けて延出された複数（図では３つ）の取付用脚部１１３を一体成形させたものを用いるようにした。なお、この実施形態においては、前記の本体部１１０の平面形状が、長辺の長さが１００ｍｍ、短辺の長さが３０ｍｍになった長方形状であって、前記の表面部１１１の厚みが２ｍｍ、反射部１１２の厚みが１ｍｍになったものを用いるようにした。しかし、本体部１１０の平面形状は、特に長方形状に限定されず、図示していないが、円形状や矢印状等の様々な形状になったものであってもよい。また、前記の表面部１１１や反射部１１２の厚みも、前記のようなものに限定されず、本体部１１０の強度や、表面部１１１に含有させる蓄光材料ｘの量などに応じて適宜変更することができる。
【００２８】
また、前記の誘導用部材１００においては、前記の固定部１２０として、図３（Ａ）〜（Ｃ）に示すように、円板状になった受け部１２１の上に、前記の本体部１１０の反射部１１２から下方に延出された１つの取付用脚部１１３を取り付ける取付部１２２が設けられたものを用いるようにした。
【００２９】
ここで、前記のような固定部１２０を用いた場合には、本体部１１０の反射部１１２から下方に延出された各取付用脚部１１３に対応した数の固定部１２０を用いることなる。しかし、このように１つの本体部１１０に対して、必ずしも複数の固定部１２０を用いる必要はなく、例えば、図４に示すように、固定部１２０を前記の本体部１１０と同様の長方形状に形成し、本体部１１０の反射部１１２に設けられた各取付用脚部１１３と対応するようにして、固定部１２０の受け部１２１の上に複数（図では３つ）の取付部１２２を設けるようにすることも可能である。
【００３０】
そして、前記の誘導用部材１００において、本体部１１０の表面部１１１に用いる透明樹脂は、特に限定はされないが、ポリカーボネート樹脂、アクリル樹脂、ＡＢＳ樹脂、塩化ビニル樹脂、エポキシ樹脂、フェノール樹脂等の熱硬化性もしくは熱可塑性プラスチックが挙げられる。ここで、これらの樹脂の中で、特に透明性の高いものが好ましいアクリル樹脂、ポリカーボネート樹脂等を用いることが好ましく、特に、可視光透過率が８０％以上のものを用いるのが望ましい。また、人が歩行することによって、表面部１１１が割れたり、すぐに摩耗したりしないように、強度や耐摩耗性などの耐久性に優れた樹脂を用いることが好ましく、特に、ポリカーボネート樹脂を用いることが好ましい。
【００３１】
また、前記の表面部１１１において、透明樹脂中に含有させる蓄光材料ｘとしては、一般に使用されている公知のものを用いることができ、特に、長く繰り返して使用することができ、放射性物質を含まず、残光輝度が高く、残光時間が長く、耐光性や耐久性に優れたものを用いることが好ましい。例えば、硫化カルシウム／ビスマス系（ＣａＳ／Ｂｉ）、硫化カルシウム・ストロンチウム／ビスマス系〔（Ｃａ，Ｓｒ）Ｓ／Ｂｉ）、硫化亜鉛／銅系（ＺｎＳ／Ｃｕ）、硫化亜鉛・カドミウム／銅系〔（Ｚｎ，Ｃｄ）Ｓ／Ｃｕ〕等の硫化物系蓄光材料や、酸化アルミニウム、酸化ストロンチウム、酸化バリウム、酸化カルシウム、酸化セリウム、酸化亜鉛、酸化マグネシウム、酸化ストロンチウム等の金属酸化物を母体結晶としたものに、賦活剤としてセリウム、プラセオジム、ネオジム、サマルウム、ユーロピウム、ガドリニウム、テルビウム、ジスプロシウム、ホルミウム、エルビウム、ツリウム、イッテルビウム、ルテチウム等の希土類元素加えたもの等を用いることができる。具体的には、Ｎ夜光ルミノーバ（根本特殊化学株式会社製）や、アルミン酸ストロンチウム系蓄光性蛍光体であるケミテックピカリコＣＰ−０４、ケミカラーＮＬ（ケミテック株式会社製）や、酸化アルミニウム、酸化カルシウム、酸化マグネシウム等が主成分となるウルトラグロー（日亜化学株式会社製）等を用いることができる。
【００３２】
また、前記の蓄光材料ｘが透明樹脂中に均一に分散させるようにすると共に、表面部１１１における強度が低下するのを抑制して、高い残光輝度が得られるようにするため、その平均粒径が０．１〜５００μｍの範囲のもの、好ましくは１０〜７０μｍの範囲のものを用いるようにする。なお、前記の平均粒径は、レーザー光回折法による粒度分布測定における累積重量平均値（Ｄ５０）として求めた値である。
【００３３】
また、前記の表面部１１１に含有させる蓄光材料ｘの割合が少ないと、十分な蓄光性能を得ることが困難になり、残光輝度が低下したり、残光時間が短くなったりする一方、蓄光材料ｘの割合が多くなりすぎると、表面部１１１の強度が低下するため、透明樹脂に対する蓄光材料ｘの含有割合が５〜３０質量％の範囲、好ましくは７〜１７質量％の範囲、より好ましくは８〜１１質量％になるようにする。
【００３４】
また、前記の反射部１１２において、白色材料が含有された白色系樹脂における樹脂としては、反射部１１２と表面部１１１との接合性を高めて、高い強度が得られるようにするため、前記の表面部１１１と同じポリカーボネート樹脂等を用いて一体成形させるようにすることが好ましい。
【００３５】
また、前記の反射部１１２において、前記の白色材料としては、白色の顔料や染料を用いることができるが、表面部１１１からの光の反射性、耐光性、下地の色が見えないようにする隠蔽性等の点からは白色顔料を用いることが好ましい。そして、このような顔料としては、有機顔料と無機顔料とに分類することができるが、光の反射性、耐光性、隠蔽性等の点からは無機顔料を用いることが好ましい。
【００３６】
前記の反射部１１２に用いる白色系の無機顔料としては、例えば酸化チタン（ＴｉＯ2：チタニウムホワイト）、酸化マグネシウム、酸化アンチモン、酸化ジルコニウム、窒化アルミニウム、窒化ホウ素、酸化亜鉛、鉛白（炭酸亜鉛）、亜鉛華（ジンクホワイト）、鉛白（主成分：塩基性炭酸鉛）、リトポン（硫化亜鉛と硫酸バリウムとの混合物）、バライト（主成分：硫酸バリウム）、沈降性硫酸バリウム、炭酸カルシウム、沈降性シリカ（ホワイトカーボン）、酸化アルミニウム、アルミナ水和物、アルミペースト、微粉ケイ酸、合成珪酸塩等のシリカ類、ケイ酸カルシウム、タルク、クレイなどの無機顔料が挙げられるが、これらの中で隠蔽性、耐光性などの観点から、酸化チタンやアルミペーストを用いることが好ましい。また、酸化チタンには、ルチル形とアナターゼ形があるが、前者の方が、着色力、隠蔽力が大きく、隠蔽性顔料の中で最も好ましい。ここで、前記の酸化チタンの平均粒径は、通常０．１〜３．０μｍ程度である。前記の平均粒径も蓄光材料の平均粒径と同様、レーザー光回折法による粒度分布測定における累積重量平均値（Ｄ５０）として求めた値である。
【００３７】
なお、これらの顔料は一種を単独で用いてもよく、複数の顔料を併用することもできる。また、必要に応じて、例えば、アルミニウム、真鍮等の鱗片状箔片などの金属顔料、や、二酸化チタン被覆雲母、塩基性炭酸鉛等の鱗片状箔片などからなる光沢顔料等を併用することもできる。これらの顔料は、反射部１１２の隠蔽性や反射性を高めるだけでなく、光の反射に独自性を付与して意匠性を増すことも可能となる。
【００３８】
また、前記の反射部１１２において、前記の白色材料を樹脂に含有させるにあたり、白色材料の含有量が少ないと、下地の色が透けるなど隠蔽性が低下する一方、白色材料の含有量が多くなりすぎると、樹脂の耐衝撃性が低下すると共にコストも高くつくため、白色材料の含有量を１〜１０質量％の範囲にすることが好ましく、より好ましくは１．５〜６質量％の範囲になるようにする。
【００３９】
また、この実施形態においては、前記の本体部１１０の周縁部を、前記の表面部１１１から下の反射部１１２に向けてテーパー状に収縮するように形成し、後述するように、誘導用部材１００をカーペット１０に固定させた場合に、このテーパー状に収縮した本体部１１０の周縁部によって、本体部１１０が取り付けられるカーペット１０の周縁部におけるパイル１１を覆うようにしている。
【００４０】
また、前記のように本体部１１０における表面部１１１の下に、白色系顔料が含有された白色系樹脂で構成された反射部１１２を設けると、表面部１１１における蓄光材料ｘからの光が、この反射部１１２おいて適切に反射されて表面部１１１から出射される光が増加すると共に、この反射部１１２を通して、誘導用部材１００が取り付けられるカーペット１０の色が透けて見えるのが防止される。
【００４１】
ここで、前記のような誘導用部材１００を用い、この誘導用部材１００における本体部１１０と固定部１２０とを前記のカーペット１０に貫通させるようにして、誘導用部材１００をカーペット１０に固定させるにあたっては、例えば、図５（Ａ），（Ｂ）に示すように、カーペット１０の一辺の近傍において、前記の誘導用部材１００における平面長方形状の表面部１１１に対応するようにして、カーペット１０におけるパイル１１を削り取った取付用カット部１４を、カーペット１０の一辺方向に所要間隔を介して複数（図では２つ）設けると共に、各取付用カット部１４に、本体部１１０の反射部１１２から下方に延出された各取付用脚部１１３に対応するようにして、それぞれ複数（図では３つ）の貫通穴１５を設けるようにしている。
【００４２】
そして、この実施形態においては、誘導用部材１００における本体部１１０と固定部１２０とをカーペット１０に貫通させるようにして、カーペット１０に設けられた各取付用カット部１４に誘導用部材１００を固定させるにあたり、図６（Ａ）に示すように、誘導用部材１００の本体部１１０を取付用カット部１４の上に位置させると共に、誘導用部材１００における各固定部１２０を、取付用カット部１４の下において各貫通穴１５が設けられた位置に対応するように配置させるようにする。
【００４３】
次いで、図６（Ｂ）に示すように、本体部１１０の反射部１１２から下方に延出された各取付用脚部１１３とこれに対応した各固定部１２０における取付部１２２とを、カーペット１０の取付用カット部１４に対応して設けられた各貫通穴１５を通して、本体部１１０における各取付用脚部１１３を各固定部１２０における取付部１２２に取り付けるようにする。
【００４４】
ここで、この実施形態における誘導用カーペットにおいては、前記の誘導用部材１００の本体部１１０における表面部１１１の表面位置が、前記のカーペット１０におけるパイル１１の表面位置以下になるようにしている。このようにすると、人がこの誘導用カーペットの上を歩行する場合などに、前記の誘導用部材１００に躓いたりするのが防止されるようになる。
【００４５】
また、この実施形態における誘導用カーペットにおいては、前記の誘導用部材１００の本体部１１０における反射部１１２の下面を、前記のようにカーペット１０においてパイル１１を削り取った取付用カット部１４における基布１２の表面に押し付けるようにして取り付ける構成となっている。この場合、誘導用部材１００における反射部１１２の裏面が、カーペット１０の取付用カット部１４の表面と密着した状態となる。このため、誘導用部材１００がカーペット１０に対してがたつき無く安定して固定される。同時に、前記の本体部１１０は、カーペット１０を各固定部１２０で挟み込む形で安定して強固に取り付けられる。
【００４６】
また、カーペット１０を床面に敷設する際にカーペット１０の底面は接着剤や粘着材などによって床面に固定されるため、各固定部１２０は、カーペット１０の裏面と床面に挟まれた状態で固定されるため、誘導用部材１００は極めて外れにくい構造で固定されることとなる。加えて、誘導用部材１００における反射部１１２の裏面と取付用カット部１４の表面は、隙間無く密着した状態とすることができ、カーペット１０におけるパイル１１との配置関係も安定するので、前記の表面部１１１を通して認識される色等のばらつきも抑制されるようになる。
【００４７】
ここで、前記の誘導用部材１００の本体部１１０における表面部１１１と反射部１１２との合計の厚みが大きい場合や、カーペット１０におけるパイル１１が短い場合において、誘導用部材１００の本体部１１０における表面部１１１の表面位置が、カーペット１０におけるパイル１１の表面位置よりも高くなるような場合には、図示していないが、カーペット１０に前記のような取付用カット部１４を形成するにあたり、カーペット１０におけるパイル１１だけではなく、前記の基布１２や、裏打ち材１３を適当な深さに削り取って、誘導用部材１００の本体部１１０における表面部１１１の表面位置が、前記のカーペット１０におけるパイル１１の表面位置以下になるようにすることができる。
【００４８】
また、この実施形態における誘導用カーペットにおいては、カーペット１０に設ける取付用カット部１４の平面形状を、誘導用部材１００における本体部１１０の平面形状よりも若干小さくなるようにしている。このようにすると、前記のように表面部１１１から下の反射部１１２に向けてテーパー状に収縮するように形成された本体部１１０の周縁部が、取付用カット部１４の周縁部におけるパイル１１の上に被さるようになり、取付用カット部１４のラインが少し蛇行していても、この部分が誘導用部材１００における本体部１１０により覆われて隠れ、綺麗な仕上がり状態が得られるようになる。
【００４９】
そして、このようにカーペット１０の一辺の近傍において、前記の誘導用部材１００がカーペット１０の一辺方向に所要間隔を介して複数（図では２つ）設けた誘導用カーペットを、図７に示すように、各誘導用カーペットにおける誘導用部材１００が一辺方向に並ぶようにして、図示していないが通路の端側の床に敷設させて、暗い場所での案内等の表示を行うようにすることができる。
【００５０】
また、前記のような誘導用カーペットを複数並べて敷設させるにあたり、例えば、カーペット１０に５００ｍｍ角のタイルカーペットを用いると共に、前記の誘導用部材１００の長辺方向の長さＬ１を１００ｍｍ、誘導用部材１００間の間隔Ｌ２を１５０ｍｍ、誘導用部材１００の配列方向における誘導用部材１００の端部とカーペット１０の端部との間隔Ｌ３を７５ｍｍ（＝Ｌ２／２）にした場合、連続したカーペット１０に対して、前記のような誘導用部材１００が一定した間隔で配置されるようになる。
【００５１】
また、前記の実施形態における誘導用カーペットにおいては、カーペット１０の一辺の近傍において、誘導用部材１００をカーペット１０の一辺方向に所要間隔を介して複数（図では２つ）設けるようにしたが、図８に示すように、カーペット１０の対向する辺の中間部分において、誘導用部材１００をカーペット１０の対向する辺の方向に所要間隔を介して複数（図では２つ）設けた誘導用カーペットを用い、このような誘導用カーペットにおける誘導用部材１００が対向する辺の方向に並ぶようにして、図示していないが通路の中央部の床に敷設させて、暗い場所での案内等の表示を行うようにすることができる。
【００５２】
次に、前記の誘導用部材１００における本体部１１０を製造する場合の具体的な実施例を挙げて説明する。
【００５３】
ここで、以下の実施例においては、本体部における反射部を製造するにあたって、樹脂としては、ポリカーボネート樹脂（三菱エンジニアリングプラスチック株式会社製：ノバレックス７０２５ＩＲ）を用い、白色材料としては、平均粒径が０．５〜２μｍ程度の酸化チタン（濤和化学株式会社製：ＥＸ８−１１−１９５０４）を用いるようにした。
【００５４】
ここで、実施例Ａ１〜Ａ３においては、前記の樹脂１００重量部に対して前記の白色材料を３．０重量部に割合で含有させるようにし、また実施例Ｂ１〜Ｂ３においては、前記の樹脂１００重量部に対して前記の白色材料を１．５重量部に割合で含有させるようにして、それぞれ３．０ｍｍ，２．０ｍｍ，１．０ｍｍの厚みの板状になった反射部のサンプルを作成した。
【００５５】
そして、前記の実施例Ａ１〜Ａ３及び実施例Ｂ１〜Ｂ３の各サンプルを、それぞれ明度が２．４、彩度が０．１になった黒色プラスチックの上に載置し、実施例Ａ１〜Ａ３及び実施例Ｂ１〜Ｂ３の各サンプルの上からそれぞれ明度と彩度とを測定し、これらの結果を下記の表１に示した。なお、前記のマンセル表色系の明度及び彩度については、ＪＩＳ  Ｚ  ８７２２に準拠した市販の色彩色差計（コニカミノルタ株式会社製：製品名「色彩測色システム（簡易型）ＣＲ−２００）を用いて測定径８ｍｍで測定した。
【００５６】
【表１】
0006657027.tif 000002
【００５７】
この結果、実施例Ａ１〜Ａ３及び実施例Ｂ１〜Ｂ３の各サンプルを明度が２．４と低い黒色プラスチックの上に載置したにも拘わらず、実施例Ａ１〜Ａ３及び実施例Ｂ１〜Ｂ３の各サンプルの上から測定された明度は何れも９．２以上の高い値を示し、高い隠蔽性を有することが分かる。特に、樹脂１００重量部に対して白色材料を３．０重量部に割合で含有させる実施例Ａ１〜Ａ３の各サンプルにおいては、測定された明度が何れも９．５以上の高い値を示し、さらに高い隠蔽性を有することが分かり、またサンプルの厚みを厚くするほど、隠蔽性が向上されることも分かる。
【００５８】
なお、前記の実施例では、実施例Ａ１〜Ａ３及び実施例Ｂ１〜Ｂ３の各サンプルを黒色プラスチックの上に載置して、各サンプルの上から明度と彩度とを測定したが、実施例Ａ１〜Ａ３及び実施例Ｂ１〜Ｂ３の各サンプルを、明度が１．７、彩度が０．２になった市販のタイルカーペット（東リ株式会社製：ＧＡ−１００、品番「ＧＡ１００２」）の上に載置して明度と彩度とを測定した場合にも、ほぼ同様の結果が得られた。
【００５９】
また、前記のポリカーボネート樹脂（三菱エンジニアリングプラスチック株式会社製：ノバレックス７０２５ＩＲ）中に、平均粒径が約２５μｍになった市販の蓄光材料（株式会社ネモトルミマテリアル製：Ｇ−３００Ｍ）を９．１質量％含有させた表面部を、前記の実施例Ａ１〜Ａ３及び実施例Ｂ１〜Ｂ３の各サンプルの上に一体成形したものを作成し、各表面部における状態を調べた結果、カーペットの色が透けて見えるということがなく、十分な残光輝度が得られ、暗い場所での案内等の表示を行うことができた。
【符号の説明】
【００６０】
１０  カーペット
１１  パイル
１２  基布
１３  裏打ち材、１３ａ  結合層、１３ｂ  補強布、１３ｃ  バッキング材
１４  取付用カット部
１５  貫通穴
１００  誘導用部材
１１０  本体部
１１１  表面部
１１２  反射部
１１３  取付用脚部
１２０  固定部
１２１  受け部
１２２  取付部
ｘ  蓄光材料
【図１】
0006657027.tif 000003
【図２】
0006657027.tif 000004
【図３】
0006657027.tif 000005
【図４】
0006657027.tif 000006
【図５】
0006657027.tif 000007
【図６】
0006657027.tif 000008
【図７】
0006657027.tif 000009
【図８】
0006657027.tif 000010